(57)【特許請求の範囲】
【請求項１】
段ボールシートを材料とする保持枠１と差込枠２とから成り、保持枠１に開口部４を設け、差込枠２を積層構造となるように折り重ね、差込枠２の両側部分を底部分から起こして保持枠１の開口部４に差し込み、開口部４から突出した部分を外側へ折り曲げて保持枠１に固定し、差込枠２の両側部分に設けた受止板２７により物品の端部を受け止めるようにした段ボール製緩衝材。
【請求項２】
前記差込枠２の両側部分に、折り曲げた受止板２７が突出する開口部２５ａを設けたことを特徴とする請求項１に記載の段ボール製緩衝材。
【請求項３】
前記保持枠１に設けた一対の内底板６を折り曲げて、差込枠２の底部分に重ね、保持枠１の両側に設けた側受片７を巻き込んで、差込枠２の外側に係合させ、保持枠１の開口部４の端縁に連設した端内板９を折り曲げて、差込枠２の内側に係合させたことを特徴とする請求項１又は２に記載の段ボール製緩衝材。
【発明の詳細な説明】
【技術分野】
【０００１】
この発明は、受圧面が小さく、破損しやすい物品の輸送等に使用され、多重構造で緩衝性を確保する段ボール製緩衝材に関するものである。
【背景技術】
【０００２】
例えば、音響機器等の物品の梱包に使用する段ボール製緩衝材として、下記特許文献１には、筒状枠の内部に台状の固定部材を包み込むように取り付け、筒状枠の開口部を介して物品を固定部材に突き当てることにより、緩衝性を付与しつつ物品を保持するようにしたものが記載されている。
【０００３】
ところが、横長のＬＥＤボードを用いた電光式表示装置のような物品では、ＬＥＤボードや電極部への緩衝材の接触が許されず、フレームの端部でのみ衝撃を受け止める必要があり、重量も相当大きいことから、段ボール製の緩衝材ではなく、小さな受圧面における集中荷重に耐えることができ、緩衝性にも優れた発泡樹脂製の緩衝材を使用している。
【０００４】
【特許文献１】特開平１１−１２７７号公報
【発明の開示】
【発明が解決しようとする課題】
【０００５】
しかしながら、上記のような発泡樹脂製の緩衝材は、材料が高価であり、また、段ボール製の外箱と共に廃棄されて焼却されると、高熱や黒煙が発生するという問題がある。
【０００６】
そこで、この発明は、安価で環境に悪影響を及ぼさない段ボールを使用して、集中荷重を受けても物品を保護できる緩衝材を提供しようとするものである。
【課題を解決するための手段】
【０００７】
上記のような課題を解決するため、この発明に係る緩衝材は、段ボールシートを材料とする保持枠と差込枠とから成り、保持枠に開口部を設け、差込枠を積層構造となるように折り重ね、差込枠の両側部分を底部分から起こして保持枠の開口部に差し込み、開口部から突出した部分を外側へ折り曲げて保持枠に固定し、差込枠の両側部分に設けた受止板により物品の端部を受け止めるようにしたのである。
【０００８】
また、組立性及び梱包作業性を考慮して、差込枠の両側部分に、折り曲げた受止板が突出する開口部を設けたのである。
【０００９】
また、緩衝性等向上のため、保持枠に設けた一対の内底板を折り曲げて、差込枠の底部分に重ね、保持枠の両側に設けた側受片を巻き込んで、差込枠の外側に係合させ、保持枠の開口部の端縁に連設した端内板を折り曲げて、差込枠の内側に係合させたのである。
【発明の効果】
【００１０】
この段ボール製緩衝材では、梱包状態において、物品の端部の小さな受圧面を受止板で受け止めることができ、物品の端部が受止板に強く突き当たるような衝撃が作用しても、積層構造の差込枠が保持枠に固定されているので、衝撃が緩和されると共に、緩衝空間が確保され、物品が保護される。
【発明を実施するための最良の形態】
【００１１】
以下、この発明の実施形態を添付図面に基づいて説明する。
【００１２】
この緩衝材は、段ボールシートを材料とするものであり、ブランク状態で図１及び図２にそれぞれ示す保持枠１と差込枠２とから構成される。
【００１３】
図１に示すように、保持枠１のブランクでは、中枠板３に両側部分を帯状に残して開口部４が設けられ、中枠板３を介して連設された一対の端枠板５の中間部から内底板６が、両側部から帯状の側受片７がそれぞれ延出されている。側受片７の中間部には幅方向の罫線が入れられ、側受片７の先端部内側には抜止片８が設けられている。
【００１４】
開口部４の端枠板５に接する対向縁には端内板９が連設され、端内板９の中間部には幅方向の罫線が入れられている。内底板６の中間部には、幅方向の２本の罫線が入れられ、手入穴１０が設けられている。中枠板３の両側縁には、後述する係止片３１が係合する係止切欠１１が設けられている。
【００１５】
一方、図２に示すように、差込枠２のブランクでは、外底板２１の一端に繋部を介して中底板２２が連設され、外底板２１の両側には側枠板２３ａ及び縁折板２４ａが、中底板２２の両側には側枠板２３ｂ及び縁折板２４ｂがそれぞれ順次連設されると共に、これらの部分には開口部２５ａ，２５ｂがそれぞれ設けられている。
【００１６】
側枠板２３ａには、開口部２５ａの端縁に折込片２６が連設され、その基端から両側へ幅方向の罫線が入れられている。側枠板２３ｂ及び縁折板２４ｂには、開口部２５ｂの端縁に受止板２７が連設されている。
【００１７】
外底板２１及び中底板２２には手入穴２８がそれぞれ設けられ、外底板２１の手入穴２８の端縁には折込片２９が連設されている。側枠板２３ｂの両端縁には斜方向の切込３０が入れられ、縁折板２４ｂの先端には係止片３１が、縁折板２４ａの先端には凹部３２がそれぞれ設けられている。
【００１８】
上記のようなブランクから緩衝材を組み立てるには、図３に示すように、緩衝性向上のため、折込片２６，２９を内側に折り込みつつ、差込枠２を、外底板２１と中底板２２の繋ぎ部分を軸として積層構造となるように折り重ね、外底板２１及び中底板２２からそれぞれ側枠板２３ａ，２３ｂを起立させる。
【００１９】
次に、図４に示すように、保持枠１の開口部４に差込枠２の縁折板２４ａ，２４ｂ及び側枠板２３ａ，２３ｂを順次差し込み、開口部４から突出した縁折板２４ａ，２４ｂを外側へ折り曲げて中枠板３に重ねる。
【００２０】
また、内底板６を二重に折り曲げて、差込枠２の内側へ差し込むように中底板２２に重ね、側受片７を巻き込み、抜止片８を折り曲げつつ、開口部２５ａ，２５ｂに差し込んで復元させ、側受片７を側枠板２３ａ，２３ｂに係合させる。
【００２１】
そして、図５に示すように、端内板９を罫線に沿って山形に屈曲させつつ、対向する側枠板２３ｂの間に折り曲げ、その先端両側部の突起を切込３０に係合させると共に、受止板２７を、開口部２５ａを介し対向する側受片７の間に折り曲げ、係止片３１を、凹部３２を介し係止切欠１１に係合するように折り曲げ、保持枠１と差込枠２とを一体化する。
【００２２】
このような緩衝材を使用して電光式表示装置を梱包する際には、図６乃至図８に示すように、一対の緩衝材を対向させ、電光式表示装置Ｄの両端部を、緩衝材の底部分及び両側部分の受止板２７で受け止めるように支持した状態で、電光式表示装置Ｄを一対の緩衝材と共に外箱Ｂに収納する。
【００２３】
このように電光式表示装置Ｄを梱包すると、電光式表示装置Ｄのフレームの端部だけを受止板２７で受け止めることができ、電光式表示装置Ｄのフレームの端部が受止板２７に強く突き当たるような衝撃が作用しても、積層構造の差込枠２が保持枠１に固定されているので、衝撃が緩和されて、電光式表示装置Ｄの端部の周囲に緩衝空間が確保され、ＬＥＤボードや電極部が破損することなく、電光式表示装置Ｄが保護される。
【００２４】
また、内底板６を中底板２２に折り重ねているので、底部分が強化されて緩衝性が向上し、側受片７を側枠板２３ａの外側で巻き込んでいるので、両側部分の緩衝空間が確保されて、側方からの衝撃も効果的に緩和でき、端内板９を側枠板２３ｂの内側に折り曲げているので、保形性に優れ、電光式表示装置Ｄを確実に保持できる。
【図面の簡単な説明】
【００２５】
【図１】この発明に係る段ボール製緩衝材の保持枠のブランクを示す図
【図２】同上の差込枠のブランクを示す図
【図３】同上の組立過程の初期段階を示す斜視図
【図４】同上の組立過程の中間段階を示す斜視図
【図５】同上の組立状態を示す斜視図
【図６】同上の緩衝材を使用した梱包過程を示す斜視図
【図７】同上の緩衝材への物品挿入状態を示す横断平面図
【図８】同上の緩衝材への物品挿入状態を示す縦断側面図
【符号の説明】
【００２６】
１  保持枠
２  差込枠
３  中枠板
４  開口部
５  端枠板
６  内底板
７  側受片
８  抜止片
９  端内板
１０  手入穴
１１  係止切欠
２１  外底板
２２  中底板
２３ａ，２３ｂ  側枠板
２４ａ，２４ｂ  縁折板
２５ａ，２５ｂ  開口部
２６  折込片
２７  受止板
２８  手入穴
２９  折込片
３０  切込
３１  係止片
３２  凹部
【図１】
0004676283.tif 000002
【図２】
0004676283.tif 000003
【図３】
0004676283.tif 000004
【図４】
0004676283.tif 000005
【図５】
0004676283.tif 000006
【図６】
0004676283.tif 000007
【図７】
0004676283.tif 000008
【図８】
0004676283.tif 000009